(57)【特許請求の範囲】
【請求項１】
上水からの給送圧力を維持して圧送する縁切り手段と、前記上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する加熱手段にて形成される循環手段と、前記加熱手段と前記循環ポンプとの間に接続し、前記上水を前記循環手段に導入する切換手段とを有し、前記循環ポンプを駆動し前記循環手段内の水流を前記流水スイッチにより検知するのに先立ち、前記切換手段から前記循環ポンプを介して浴槽までの戻り管内に前記上水を導入し、該上水の圧力によって前記循環ポンプおよび戻り管内の空気を排出することをことを特徴とする風呂装置。
【請求項２】
上水を導入して加熱する第１の加熱手段を有する給湯手段と、該給湯手段からの給送圧力を維持して圧送する縁切り手段と、前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、第２の前記加熱手段と前記循環ポンプとの間に接続し、前記給湯手段からの前記上水を前記循環手段に導入する切換手段とを有し、前記循環ポンプを駆動し前記循環手段内の水流を前記流水スイッチにより検知するのに先立ち、前記切換手段から前記循環ポンプを介して浴槽までの戻り管内に前記上水を導入し、該上水の圧力によって前記循環ポンプおよび戻り管内の空気を排出することをことを特徴とする風呂装置。
【請求項３】
上水を導入する給水手段と、該給水手段から前記上水を導入して加熱する第１の加熱手段を有する給湯手段と、上水の給送圧力を維持して圧送する縁切り手段と、前記給水手段または前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、第２の前記加熱手段と前記循環ポンプとの間に接続し、前記上水を前記循環手段に導入する切換手段を有し、前記循環ポンプを駆動し前記循環手段内の水流を前記流水スイッチにより検知するのに先立ち、前記切換手段から前記循環ポンプを介して浴槽までの戻り管内に前記給水手段より上水を導入し、該上水の圧力によって前記循環ポンプおよび戻り管内の空気を排出することを特徴とする風呂装置。
【請求項４】
前記切換手段は上水を前記循環ポンプを介して戻り管に導入する流路と、追焚循環を行う流路と、上水の導入と追焚循環の流路とを閉止するように切換えることを特徴とする請求項１、請求項２、または請求項３の何れかに記載の風呂装置。
【請求項５】
前記切換手段が上水の導入と追焚循環の流路とを閉止すると共に、前記循環ポンプを駆動することを特徴とする請求項１、請求項２、請求項３、または請求項４の何れかに記載の風呂装置。
【請求項６】
前記循環ポンプを駆動し、前記循環手段内の湯水の循環の検知を前記流水スイッチにて行うと前記第２の加熱手段により前記浴槽の湯水を加熱することを特徴とする請求項２、請求項３、請求項４、または請求項５の何れかに記載の風呂装置。
【請求項７】
前記循環ポンプを駆動し、前記循環手段内の湯水の循環が前記流水スイッチにて検知されない場合、前記第１の加熱手段により前記上水を加熱し、前記浴槽に湯水を導入することを特徴とする請求項２、請求項３、請求項４、または請求項５の何れかに記載の風呂装置。
【請求項８】
上水を導入して加熱する第１の加熱手段を有する給湯手段と、該給湯手段からの湯水の給送圧力を維持して圧送する縁切り手段と、前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、該加熱手段と前記循環ポンプとの間に接続し、前記上水を前記循環手段に導入する切換手段とを有し、該切換手段は前記給湯手段からの湯水を前記循環ポンプを介して戻り管に導入する流路と、追焚循環を行う流路と、上水の導入と追焚循環の流路とを閉止するように切換る制御手段とを有し、前記開閉手段を開いて第１の加熱手段により上水を加熱し、前記上水の給送圧力を維持しつつ、前記切換手段から前記循環ポンプを介して浴槽までの戻り管内に上水を導入し、前記切換手段を駆動して流路を閉塞せると共に前記循環ポンプを駆動させ、更に追焚循環を行う流路を開成し、前記追焚経路の湯水の循環の検知を前記流水スイッチにて行うと第２の前記加熱手段により前記浴槽の湯水を加熱して所望の湯温に追焚を行い、または前記追焚経路の湯水の循環が前記流水スイッチにて検知されない場合、第１の前記加熱手段により前記上水を加熱し、前記浴槽に湯水を導入して所望の水量になるように制御することを特徴とする風呂装置の運転方法。
【請求項９】
上水を導入する給水手段と、該給水手段から前記上水を導入して加熱する第１の加熱手段を有する給湯手段と、前記給水手段または前記給湯手段からの上水の給送圧力を維持して圧送する縁切り手段と、前記給水手段または前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、前記加熱手段と前記循環ポンプとの間に接続し、前記上水を前記循環手段に導入する切換手段とを有し、該切換手段は前記給湯手段からの湯水を前記循環ポンプを介して戻り管に導入する流路と、追焚循環を行う流路と、上水の導入と追焚循環の流路とを閉止するように切換える制御手段を有し、前記開閉手段を開いて前記給水手段からの前記上水の給送圧力を維持しつつ、前記切換手段から前記循環ポンプを介して浴槽までの戻り管内に上水を導入し、前記切換手段を駆動して流路を閉塞せると共に前記循環ポンプを駆動させ、更に追焚循環を行う流路を開き、追焚経路の湯水の循環の検知を前記流水スイッチにて行うと第２の前記加熱手段により前記浴槽の湯水を加熱して所望の湯温に追焚を行い、または前記追焚経路の湯水の循環が前記流水スイッチにて検知されない場合、第１の前記加熱手段により前記上水を加熱し、浴槽に湯水を導入して所望の水量になるように制御することを特徴とする風呂装置の運転方法。
【発明の詳細な説明】
【０００１】
【産業上の利用分野】
本発明は風呂装置およびその運転方法に関し、特に浴槽に湯水を好みの水位に給湯し、好みの温度に沸き上げる全自動給湯追焚風呂装置に使用するのに適する。
【０００２】
【従来の技術】
従来、浴槽へ給湯し、追焚が行なえる風呂装置には、給湯機構部と追焚機構部とを備えた全自動給湯追焚風呂装置が使用されている。
この全自動給湯追焚風呂装置は、給湯追焚装置の外部に設けられたリモコン等に好みの水位や温度を設定し、リモコンの自動運転スイッチを入れると、まず給湯器の燃焼部が燃焼を開始して上水を設定温度になるように加熱することにより浴槽に給湯を行い、設定水位になると同時に給湯を停止する。そして追焚を開始することにより設定温度になるまで加熱して所望の温度と水位の入浴環境を提供するものであった。
【０００３】
このような従来技術においては例えば実公平５−９９０３号の公報に記載された考案や特開平３−１７５２３８号に記載された発明、さらには実開平３−７２２５３号公報に記載された考案が知られている。
このうち実公平５−９９０３号公報に記載された考案は、給湯機構部における給湯回路の湯を予め循環ポンプに導いて呼び水を行い、循環ポンプを始動して流水スイッチの動作を確認することにより浴槽と追焚機構部との間の循環経路の流水を確認することを特徴とする。
このうち実公平５−９９０３号に記載の考案を図１５に従って具体的に説明すると、浴槽３０と、該浴槽３０内へ所望の温度の湯を給湯するための給湯用熱交換器３１、給湯弁３２、および大気開放型のホッパー３３を接続した給湯機構部３４と、切換弁３５を介して浴槽３０内へ所望の温度の湯を給湯する自吸式の循環ポンプ３６、追焚用熱交換器３７を備えた往き管３８および水量スイッチ３９を有する戻り管４０により追焚経路４１を形成する追焚機構部４２とからなる構成である。
【０００４】
そして追焚運転を開始すると、切換弁３５は給湯弁３２から循環ポンプ３６への経路に切換わり、給湯弁３２が開くと、給湯用熱交換器３１が大気開放型のホッパー３３を介して自重で湯が落下し、循環ポンプ３６に呼び水を行う。
【０００５】
また切換弁３５が戻り管４０から循環ポンプ３６への経路に切換えて給湯弁３２からの経路が遮断されて追焚経路４１が形成されると、循環ポンプ３６が駆動されて流水を検知する。そして流水がないと、切換弁３５は給湯弁３２から切換弁３５、戻り管４０への回路に切換わり、ホッパー３３により外部からの湯を戻り管４０を介して自重により落とし込み、浴槽３０内に湯を満たすものである。
【０００６】
次に特開平３−１７５２３８号公報に記載の上記他の従来技術は図１７に示すように、給湯器５０の給湯出口に第１逆止弁５１Ａ、バキュームブレーカー５２、第２逆止弁５１Ｂを設けて追焚経路５３に接続し、接続部５４から戻り管５５側には二方弁５６と循環ポンプ５７を介して浴槽２に接続され、接続部５４から往き管５８側には流水スイッチ５９および熱交換器６０を介して浴槽２に接続されている。
【０００７】
そして運転においては、給湯器５０より追焚経路５３に給湯し、二方弁５６を開放して水道圧にて往き管５８と戻り管５５との両方から給湯し、配管内の空気を排出すると共に循環ポンプ５７に呼び水を行う。
続いて二方弁５６を閉じて往き管５８より浴槽２に給湯し、圧力センサ６１で水位を監視しながら設定水位になれば給湯を停止し、二方弁５６を開放して循環ポンプ５７を駆動し、追焚用バーナＶ′を点火して追焚運転を行い、設定温度になることを確認して追焚燃焼および追焚循環を停止するものである。
【０００８】
さらに実開平３−７２２５３号公報に記載の考案は、特開平３−１７５２３８号の２つ目の上記従来技術が図１７に示すように圧力センサ６１による水位制御を行っているのに対し図１８に示すように、注湯量センサとしての電磁弁７６で注湯量をカウントすることにより所望の水量の湯を浴槽２に導入するものである。
【０００９】
そしてこの従来例も給湯器７０の給湯出口を第１逆止弁７１Ａおよび第２逆止弁７１Ｂとバキュームブレーカー７２を設けて追焚経路７３に接続し、接続部７４から戻り管７５側には二方弁７６と循環ポンプ７７を介して浴槽２に接続され、接続部７４から往き管７８側には流水スイッチ７９および熱交換器８０を介して浴槽２に接続されている点は図１７に示す従来技術と同様である。
【００１０】
【発明が解決しようとする課題】
しかしながら、最近の住宅事情は多様化の一途をたどり、浴槽が一階ばかりではなく、２階にも設けられたり、または給湯追焚装置を設置するスペースの関係から一階の浴槽に対して装置を２階に設けたり、またはマンション等の建築物の場合にはベランダに設けた給湯追焚装置からの配管を天井を通じて浴槽に接続するなどの需要が出てきた。
【００１１】
そして図１５に示す上記従来の技術のように、給湯器からホッパーを介して自重で浴槽に給湯するものは、浴槽が例えば２階に設置されて給湯追焚装置が１階に設置される場合に、高所に位置する浴槽に給湯することができない上、浴槽に水道水を注水して水を張ったり、または太陽熱温水器からの湯を浴槽に注湯して追焚を行おうとする場合、追焚運転前に循環ポンプに呼び水を行っても１階の浴槽の湯水を吸引することが難しく、配管内の空気を総て排出して循環可能になるまで相当の時間を必要としていた。
【００１２】
特に、マンションのように給湯用の配管を天井に通過させて追焚運転を行う場合には図１６に示すように、給湯機構部３４からの湯を切換弁３５を介して循環ポンプ３６に呼び水を行って図中の領域Ｌに湯水を満たし、切換弁３５を追焚経路４１を形成するように切換え、それから循環ポンプ３６を駆動して浴槽３０の湯水を吸引しようとした場合に、途中の配管が天井部１８等の高所を通るので、循環ポンプ３６がどんなに空気を排出しても圧力差によって浴槽３０の湯水は図中の範囲Ｍ、例えばその底面から高さ約１．５ｍまでしか水位が上昇せず、湯水の追焚循環が不能となってしまう。
【００１３】
また図１６において、切換弁３５をホッパー３３、切換弁３５、戻り管４０の経路に切り換えて給湯弁３２から湯を落とし込んだ場合、湯は自重で落下して行くが、戻り管４０の天井部１８を越えて浴槽３０に給湯を行うことができないという不都合がある。
【００１４】
これに対して図１７および図１８に示すような従来技術は、水道圧で循環ポンプの呼び水を兼ねて配管内の空気を排出して自動運転を行うものである。
この技術は、バキュームブレーカー５２，７２を用いて水道圧を利用して給湯しているが、バキュームブレーカー５２，７２は上水と縁切りを行っていないので、給湯追焚装置が１階で浴槽が２階に設置している場合には浴槽の湯水が上水に逆流して汚染することがあった。しかも例え逆止弁５１Ａ，７１Ａ等を設けてあっても上水と下水が空気によって縁切りされていないので、僅かながらも下水が上水を汚染することになり、一般的には浴槽２よりも高い位置に給湯追焚装置がある場合しか使用することができなかった。
【００１５】
しかも、水道圧力で配管経路の空気を排出することができるが、水道圧力は地域によって異なる。このため水道圧力が弱い地域では図１７および図１８に示す技術では良好に配管内の空気を排出することができないという欠点を有していた。
すなわち、浴槽に湯水が張られた状態で、圧力の低い上水を給湯しても、浴槽内の湯水が存在するか、および配管経路の曲がり具合または熱交換器等の圧力損失によって妨げられ、更に上水の導入圧力が戻り管、往き管の両方に分散されることによって良好に空気が排出されない場合が生じてきた。
【００１６】
本発明は、かかる不都合を解決し、住宅の多様化に対応して給湯追焚装置と浴槽の設置条件が如何様なものにおいても設定した水位と湯温を浴槽に満たし、快適な入浴環境を提供することを目的とする。
【００１７】
【課題を解決するための手段】
本発明は上記課題に鑑みなされたものであり、上水からの給送圧力を維持して圧送する縁切り手段と、前記上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する加熱手段にて形成される循環手段と、前記加熱手段と前記循環ポンプとの間に接続し、前記上水を前記循環手段に導入する切換手段とを有し、前記循環ポンプを駆動し前記循環手段内の水流を前記流水スイッチにより検知するのに先立ち、前記切換手段から前記循環ポンプを介して浴槽までの戻り管内に前記上水を導入し、該上水の圧力によって前記循環ポンプおよび戻り管内の空気を排出することをことを特徴とする。
【００１８】
また本発明は、上水を導入して加熱する第１の加熱手段を有する給湯手段と、該給湯手段からの給送圧力を維持して圧送する縁切り手段と、前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、第２の前記加熱手段と前記循環ポンプとの間に接続し、前記給湯手段からの前記上水を前記循環手段に導入する切換手段とを有し、前記循環ポンプを駆動し前記循環手段内の水流を前記流水スイッチにより検知するのに先立ち、前記切換手段から前記循環ポンプを介して浴槽までの戻り管内に前記上水を導入し、該上水の圧力によって前記循環ポンプおよび戻り管内の空気を排出することをことを特徴とする。
【００１９】
また本発明は、上水を導入する給水手段と、該給水手段から前記上水を導入して加熱する第１の加熱手段を有する給湯手段と、上水の給送圧力を維持して圧送する縁切り手段と、前記給水手段または前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、第２の前記加熱手段と前記循環ポンプとの間に接続し、前記上水を前記循環手段に導入する切換手段を有し、前記循環ポンプを駆動し前記循環手段内の水流を前記流水スイッチにより検知するのに先立ち、前記切換手段から前記循環ポンプを介して浴槽までの戻り管内に前記給水手段より前記上水を導入し、該上水の圧力によって前記循環ポンプおよび前記戻り管内の空気を排出することを特徴とする。
【００２０】
また本発明は、上水を導入して加熱する第１の加熱手段を有する給湯手段と、該給湯手段からの湯水の給送圧力を維持して圧送する縁切り手段と、前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、該加熱手段と前記循環ポンプとの間に接続し、前記上水を前記循環手段に導入する切換手段とを有し、該切換手段は前記給湯手段からの湯水を前記循環ポンプを介して戻り管に導入する流路と、追焚循環を行う流路と、上水の導入と追焚循環の流路とを閉止するように切換る制御手段とを有し、前記開閉手段を開いて第１の加熱手段により上水を加熱し、前記上水の給送圧力を維持しつつ、前記切換手段から前記循環ポンプを介して浴槽までの戻り管内に上水を導入し、前記切換手段を駆動して流路を閉塞せると共に前記循環ポンプを駆動させ、更に追焚循環を行う流路を開成し、前記追焚経路の湯水の循環の検知を前記流水スイッチにて行うと第２の前記加熱手段により前記浴槽の湯水を加熱して所望の湯温に追焚を行い、または前記追焚経路の湯水の循環が前記流水スイッチにて検知されない場合、第１の前記加熱手段により前記上水を加熱し、前記浴槽に湯水を導入して所望の水量になるように制御することを特徴とする。
【００２１】
また本発明は、上水を導入する給水手段と、該給水手段から前記上水を導入して加熱する第１の加熱手段を有する給湯手段と、前記給水手段または前記給湯手段からの上水の給送圧力を維持して圧送する縁切り手段と、前記給水手段または前記給湯手段からの上水を前記縁切り手段に導入する開閉手段と、前記縁切り手段からの出水量を計測する水量検出手段と、浴槽の湯水を吸引して該浴槽に圧送する循環ポンプ、水流を検知する流水スイッチおよび前記浴槽の湯水を加熱する第２の加熱手段にて形成される循環手段と、前記加熱手段と前記循環ポンプとの間に接続し、前記上水を前記循環手段に導入する切換手段とを有し、該切換手段は前記給湯手段からの湯水を前記循環ポンプを介して戻り管に導入する流路と、追焚循環を行う流路と、上水の導入と追焚循環の流路とを閉止するように切換える制御手段を有し、前記開閉手段を開いて前記給水手段からの前記上水の給送圧力を維持しつつ、前記切換手段から前記循環ポンプを介して浴槽までの戻り管内に上水を導入し、前記切換手段を駆動して流路を閉塞せると共に前記循環ポンプを駆動させ、更に追焚循環を行う流路を開き、追焚経路の湯水の循環の検知を前記流水スイッチにて行うと第２の前記加熱手段により前記浴槽の湯水を加熱して所望の湯温に追焚を行い、または前記追焚経路の湯水の循環が前記流水スイッチにて検知されない場合、第１の前記加熱手段により前記上水を加熱し、浴槽に湯水を導入して所望の水量になるように制御することを特徴とする。
【００２２】
【作用】
本発明は、全自動運転を行うと、切換手段が駆動し湯水供給経路から循環経路に至る流路は開かれ、湯落とし込み弁は開かれる。そして上水の供給が開始され、循環ポンプおよび戻り管内の空気は縁切り手段を介して導入される上水の圧力によって排出される。その後、所定量の給湯が行われ、切換手段が駆動して循環経路に至る流路は閉ざされ、上水の供給は停止する。
そして切換手段が全閉に位置すると、循環ポンプが駆動して切換手段が切換わることにより追焚経路が形成され、加熱手段での加熱が行われることにより所望温度、所望量の湯が給湯されて追焚が行われる。
【００２３】
また本発明は、全自動運転を行うと、切換手段が駆動し、湯水供給経路から循環経路に至る流路は開かれ、湯落とし込み弁が開かれるので、縁切り手段からの出湯圧力をそのまま出力する縁切り手段を介して上水を切換手段を経て導入されることにより循環ポンプおよび戻り管内の空気を浴槽外に排出する。
その後、所定量の給水が行われ、切換手段が駆動されて全流路は遮断され、同時に水落とし込み弁と切換手段が遮断されて上水の供給は停止する。
そして切換手段が全閉に位置すると、循環ポンプが駆動して切換手段が切換わることにより追焚経路が形成され、所望温度、所望量の追焚が行われる。
【００２４】
さらに本発明は、全自動運転を行うと、切換手段が駆動し湯水供給経路から循環経路に至る流路は開かれ、湯落とし込み弁または水落とし込み弁が開かれることにより、上水が給湯されるかまたは水道からの上水が縁切り手段により上水圧力をそのまま維持した状態で出力することにより循環ポンプおよび戻り管内の空気を浴槽外に排出する。
その後所定量の給湯または水道水が給水され、切換手段が駆動されることにより、上水の給湯または給水が停止する。
そして切換手段が全閉に位置すると、循環ポンプが駆動して切換手段が切換わることにより追焚経路が形成され、所望温度、所望量の追焚が行われる。
【００２５】
【実施例】
以下図１乃至図１３に従って本発明を全自動給湯追焚風呂装置として適用した場合の第１実施例を説明する。
先ず図１において、１は給湯追焚装置であり、この給湯追焚装置１は室内Ｎに設置された浴槽２に対して該浴槽２内へ所望の温度の湯を給湯するために、例えば室外Ｎ′側に設けた給湯機構部３と、浴槽２内の浴槽水Ｙを循環ポンプ４にて強制的に循環させて追焚を行う追焚機構部５とから形成される。
【００２６】
前記給湯機構部３は、水道水等の上水を導入する給水経路K1と、該給水経路K1から上水を導入して出湯温センサ６を介して外部に給湯をするために第１の加熱手段としての給湯用バーナＶの着火により加熱される給湯用熱交換器７を備えた給湯経路K2と、前記給水経路K1とにそれぞれ接続されるとともに該給湯経路K2の給送圧力を維持して給湯経路K2からの湯水を圧送する縁切り手段８を有し、この縁切り手段８、給湯経路K2に接続される開閉弁としての湯落とし込み弁９、湯水の出量を計測可能に前記縁切り手段８の出水側に設けた水量センサ１１を有する湯水供給経路K3とから形成される。
【００２７】
図２に示すものは本実施例の変形例であり、この変形例においても給湯機構部３は、水道水等の上水を導入する給水経路K1と、該給水経路K1から分岐して出湯温センサ６を介して外部に給湯するために第１の加熱手段としての給湯用バーナＶの着火により加熱される給湯用熱交換器７を備えた給湯経路K2とを備えている点においては前記説明と同様である。この変形例において図１に示すのと異なるのは給湯機構部３は、前記給水経路K1または前記給湯経路K2にそれぞれ接続されるとともに該給水経路K1または該給湯経路K2との給送圧力を維持して該給水経路K1または該給湯経路K2からの湯水を圧送する縁切り手段８を有し、この縁切り手段８、前記給水経路K1および給湯経路K2にそれぞれ並列に接続される開閉弁として湯落とし込み弁９および水落とし込み弁１０と、湯水の出量を計測可能に前記縁切り手段８の出水側に接続され、水量センサ１１を有する湯水供給経路K3とから形成される。
【００２８】
さらに図１、図２において１２は給湯用熱交換器７に入る上水の温度を計測する入水温センサであり、１３は給湯用熱交換器７に入る水量を計測する入水量センサである。
【００２９】
前記給湯用バーナＶは、外部で給湯栓を開いた場合や浴槽２に給湯する時に、給湯用熱交換器７の通水量を入水量センサ１３で検知すると、ガス比例弁を開いてイグナイターで放電して着火し、入水量センサ１３で検知される入水量と入水温センサ１２で検知される入水温とから供給ガス量を演算し、この演算結果に基づきガス比例弁を調整して所望の設定温度を得るのに必要なガス量を給湯用バーナＶに供給する。そして給湯用熱交換器７より出湯される湯の温度が設定温度になっているかどうかを出湯温センサ６にて検知して給湯用バーナＶへのガス供給量をガス比例弁にて制御して調整する。
【００３０】
また前記追焚機構部５は、循環経路K4上に前記浴槽２の湯水を吸引して該浴槽２に圧送するために設けた前記循環ポンプ４と、前記浴槽２の浴槽水Ｙを加熱する第２の加熱手段としての追焚用バーナＶ′の着火により加熱される追焚用熱交換器１４とにより形成される。
【００３１】
１５は前記循環ポンプ４と第２の加熱手段としての追焚用熱交換器１４との間に配置された切換手段としての切換弁であり、この切換弁１５は前記水量センサ１１を介して前記縁切り手段８を有する湯水供給経路K3と、前記循環経路K4とに接続可能に切換えることにより、前記循環経路K4を介して前記浴槽２に湯水を供給する。前記切換弁１５としては例えば三方弁が使用される。
【００３２】
１６は前記循環経路K4上において前記循環ポンプ４と前記切換弁１５との間に設けられた流水スイッチである。
【００３３】
前記循環経路K4は給湯追焚装置１に対して浴槽２の設置される経路に配管される。そして例えば、浴槽２が１階に設置され、かつ給湯追焚装置１は２階に設置されている時は、この循環経路K4は２階から１階の浴槽２まで配管され、また給湯追焚装置１が１階に設置され、しかも浴槽２は２階に設置されるものであれば、前記循環経路４は１階から２階に配管され、同様に給湯追焚装置１と浴槽２の配管が天井部１８を通過する場合には図１、図２のように配管される。
【００３４】
ここで循環経路K4が天井を配管する場合を説明すると、前記循環経路K4は前記循環ポンプ４に対して温度センサＳを介して前記浴槽２に例えば室内Ｎの天井部１８を経て配管を施すことにより接続された戻り管１９と、前記浴槽２の底面から約１．５ｍ以上の高所、例えば前記天井部１８を経て再び前記追焚用熱交換器１４の出水側に接続される往管２０とから形成される。
【００３５】
２１は前記戻り管１９と、前記往管２０とを前記浴槽２に接続するのに使用する接続金具である。
【００３６】
２２は前記縁切り手段１１の出水側に設けられたオーバーフロー口であり、このオーバーフロー口２２は循環経路K4から逆流して来る湯水を外部に排出するためのものである。
【００３７】
図３および図４に示す如く前記縁切り手段８は、弁ケースＢの上部に前記湯落し込み弁９と水落とし込み弁１０とを接続し、そしてこの弁ケースＢ内には通常、浴槽２に上水を供給する時に、前記湯落とし込み弁９または水落とし込み弁１０を開くと、上水の圧力によりコイルばねＣの附勢力に抗して開閉されるようにロッドＲの上部に設けられた第１弁体V1と、弁ケースＢの一側に設けた連通口B1より外部に上水が浴槽２に給水され、もし浴槽２の方向から下水が逆流してきた場合に、その圧力により前記第１弁体V1が押圧されて閉弁されることにより、上水の流入を防止するのと協同して開かれてオーバーフロー口２２より外部に排出するように前記ロッドＲの下方に設けた第２弁体V2とから形成される。
そしてオーバーフロー口２２は空気が侵入することにより上水と下水は縁切りされる。
【００３８】
本発明の一実施例は上記構成からなり、湯沸かしを行うのには例えばリモートコントロールユニットにより所望の温湯と浴槽２内に供給する湯量を入力し、全自動運転スイッチをオンにすると、切換弁１５が給湯経路K3から循環経路K4への流路を開き、湯落とし込み弁９が開いて入水量センサ１３が流水を確認して給湯機構部３の給湯用バーナＶが点火する。そして入水量センサ１３と入水温センサ１２にて検知するデータから前記給湯用バーナＶに供給されるガス量が演算され、更に給湯用熱交換器７から出湯される温湯を出湯温センサ６にて検知して、給湯用バーナＶに供給されるガス量をガス比例弁により調整してオーバーシュートおよびアンダーシュートの少ない出湯を行い、リモートコントロールユニットにより設定される温度の湯が出湯される。
【００３９】
そして給湯用熱交換器７により加熱された湯水は給湯経路K2からの水道圧を出力する縁切り手段８により、給湯経路K2からの給送圧力をそのまま維持して切換弁１５を介して循環経路K4内に流入する。
【００４０】
また図２に示す変形例では、例えばリモートコントロールユニットにより所望の湯温と浴槽２内に供給する湯量を入力し、全自動スイッチをオンすると、切換弁１５が湯水供給経路K3から循環経路K4への流路を開き、水落とし込み弁１０が開いて給水経路K1からの水道圧を出力する縁切り手段８により、給湯経路K1からの給送圧力をそのまま維持して切換弁１５を介して循環経路K4に上水が流入する。
【００４１】
ところで切換弁１５が図５に示すような管路に切換わると、切換弁１５から循環ポンプ４へ循環経路K4方向へ縁切り手段８により水道圧を低下することなく湯水が圧送されて呼び水として循環ポンプ４と戻り管１９とに注水され、切換弁１５から前記循環ポンプ４、戻り管１９内の空気を水道圧力によって浴槽２に強制的に排出する。
【００４２】
そしてこの時、切換弁１５から戻り管１９方向に対して水道圧力を掛けることから、水道圧力の総てを用いて循環ポンプ４と戻り管１９に通じて空気を排出ことができ、例え地域によって水道圧力が低くとも、この水道圧力の力を十分に生かして空気を排出することが可能となる。
【００４３】
この呼び水と戻り管１９の空気の排出完了後に切換弁１５が駆動して図５に示す状態から図６に示す状態に切換操作されることにより管路は数秒間、遮断される。
この切換弁１５が管路を遮断した位置（図６参照）を、例えば遮断する位置までの切換弁１５の駆動時間、水量センサ１１が流水を検出しなかったとき、または切換弁１５に設けたリミットスイッチで位置を検出するなどのとき、循環ポンプ４は駆動を開始し、切換弁１５は数秒後には図７に示すように循環経路K4に対して全開放位置に切換わり、追焚流路K4′を形成することになり、浴槽２内の浴槽水Ｙは戻り管１９から循環ポンプ４、熱交換器１４を経て往き管２０への循環を開始するのである。
なお切換弁１５の遮断位置の確認は切換弁１５の駆動により遮断される位置までの時間を計時して前記循環ポンプ４を駆動させてもよい。
【００４４】
ところで循環ポンプ４は、切換弁１５の全流路が遮断されている時に駆動するため、湯水の循環圧力が縁切り手段８に掛からず、下水が逆流することはない。そして、循環ポンプ４が前述のように切換弁１５の遮断位置から駆動を開始すると、戻り管１９内の湯水を切換弁１５の方向に押上げて内圧力が高まる。しかし、切換弁１５の全閉状態は数秒間と非常に短い時間なので、循環ポンプ４の駆動による圧力を切換弁１５が受けてもその圧力が最大に上昇する前に循環経路K4が解放されて行く。
【００４５】
また循環ポンプ４が駆動すると、循環ポンプ４が浴槽２より高い位置にある場合や、図９のように循環経路K4が天井部１８を通過し、浴槽２より循環ポンプ４が高く設置されている場合には、切換弁１５を循環経路K4に切換えて湯水を落下することにより、循環ポンプ４より下の戻り管１９内まで空気は入って循環ポンプ４を駆動しても戻り管１９内の空気により天井部１８を越えて浴槽２の浴槽水Ｙを引っ張れなくなることを防止することができる。
【００４６】
さて、図１に示す実施例の動作を図１１に示すフローチャートを基に説明する。
先ずリモートコントロールユニットに浴槽２の温度と水量とを入力し、リモートコントロールユニットの全自動スイッチをオンすると、ステップＳ１に示すように切換弁１５が駆動して湯水供給経路K3から循環経路K4に至る流路を開く。
続いて湯落とし込み弁９が開かれる。
【００４７】
次いで入水量センサ１３が流水を検知して給湯用バーナＶのガス比例弁を開き、イグナイターが放電して給湯用バーナＶを点火させる。
入水温センサ１２と入水量センサ１３とにより給湯用バーナＶへの供給ガス量を演算し、熱交換器７の出湯側の出湯温センサ６にて出湯温を監視し、出湯温センサ６のデータからガス比例弁を制御して設定温度になるようにガス量を調整する。
【００４８】
そしてステップ２において給湯用熱交換器７からの湯は湯落とし込み弁９、縁切り手段８、切換弁１５を経て循環ポンプ４、戻り管１９の中の空気を水道圧で浴槽２外に排出させる。
この時の注湯量は水量センサ１１にて監視し、戻り管１９の想定される最大配管長に対応する水量を注湯する。
本実施例では配管長が１５ｍとして６リットルを注湯する。
【００４９】
所定量の湯を給湯したら、ステップＳ３において切換弁１５を駆動させて切換弁１５の全流路を遮断し、同時に湯落とし込み弁９を閉じて給湯を停止する。この際、切換弁１５が全閉していない場合には、切換弁１５を駆動して給湯を完全に停止し、湯落とし込み弁９と切換弁１５が遮断することにより、給湯用バーナＶのガス比例弁を制御してガスの供給を停止し、消火する。
【００５０】
そして循環ポンプ４を駆動させ、やがてステップ４に示すように切換弁１５は追焚流路K4′を開放する。
【００５１】
循環ポンプ４が駆動してステップＳ５のように流水スイッチ１６がオンになることが確認されると、浴槽２内には前日の残り湯があると判断され、後記ステップＳ６に移行する。
【００５２】
この際、流水スイッチ１６がオフの時は、浴槽２内の浴槽水Ｙが循環できない状態、すなわち浴槽２内には湯水がないと判断して後記ステップ８に移行することになる。
【００５３】
既述のようにステップＳ６において、流水スイッチ１６がオンすると、追焚用バーナＶ′のガス弁が開き、イグナイターを放電させて追焚用バーナＶ′は点火され、燃焼が行われる。
そして浴槽２内の浴槽水は所定温度まで昇温される。
【００５４】
しかもステップＳ７において、追焚用の温度センサＳにより浴槽２内の湯水の温度を監視して所定時間に昇温した温度ΔＴから演算して浴槽２内の水量を演算する。
この際、演算した浴槽２の水量がリモートコントロールユニットへの設定水量であれば、後記ステップＳ１１に移行し、また設定水量よりも少なければ、ステップＳ９に移行して給湯を開始することになる。
【００５５】
ステップＳ８においては、前述のステップＳ４のように切換弁１５が駆動し追焚経路K4′が開かれて湯水供給経路K3、循環経路K4の流路に切換えられるとともに、湯落とし込み弁９が開かれ、戻り管１９を経て給湯が行われる。
【００５６】
その後ステップＳ９に移行して浴槽２に戻り管１９を経て給湯が開始されると、水量センサ１１にて設定水量が注湯されたかどうかの確認が行われる。
【００５７】
一方追焚経路K4′を形成して前記ステップＳ７から移行して給湯が行われた場合には、所定時間に昇温した温度ΔＴから演算した水量と、設定水量の差を演算し、この演算結果の水量を水量センサ１１で確認しながら注湯が行われる。
【００５８】
このようにして所定量の湯水を浴槽２へ給湯したことを検知すると、切換弁１５を駆動して全流路を遮断するとともに、循環ポンプ４を駆動して切換弁１５の追焚流路を開放する。
【００５９】
追焚運転を設定して流水スイッチ１６が流水を検知すると、追焚用バーナＶ′のガス弁を開き、イグナイターで放電して追焚用バーナＶ′が点火され、以後追焚運転が行われる。
そして温度スイッチＳで設定温度になったかどうかを確認し、設定温度になれば追焚用バーナＶ′は消火され、循環ポンプ４が停止して浴槽２への給湯と追焚とを完了する。
【００６０】
次いで図２に示す本実施例の変形例について図１２のフローチャートに基いてその動作を説明する。
先ずリモートコントロールユニットに浴槽２の温度と水量を入力し、リモートコントロールユニットの全自動スイッチをオンにし、ステップＳ１において切換弁１５を駆動して湯水供給経路K3から循環経路K4に至る流路を開く点は図１、図１１に示す実施例と同様の作用である。
【００６１】
そしてこの変形例においては切換弁１５を駆動して流路を開くと、水落とし込み弁１０が開かれる点が図１、図１１に示すものとは異なる。
【００６２】
そして水道からの上水は給水経路K1を経て水落とし込み弁１０、縁切り手段８、切換弁１５を経て循環ポンプ４、戻り管１９の中の空気を水道圧で浴槽２外に排出させる。
この時の水圧は給湯用熱交換器７による圧損がないので、水道圧を生かして良好に空気を排出することができる。
またこの時の注水量は水量センサ１１にて監視し、戻り管１９の想定される最大配管長に対応する水量を注湯する。図１に示す実施例と同様に図２に示す変形例においても配管長を１５ｍとして６リットルを注水する。
【００６３】
そして所定量給水したら、ステップＳ３において切換弁１５を駆動させて切換弁１５の全流路を遮断し、同時に水落とし込み弁１０を閉じ、循環ポンプ４を駆動させる。こうして水落とし込み弁１０と切換弁１５とが遮断されて注水は停止する。
【００６４】
やがて切換弁１５は追焚流路K4′を開放する。
【００６５】
その後、図１、図１１に示す実施例と同様に循環ポンプ４が駆動してステップＳ５において流水スイッチ１６がオンになるかを確認するが、流水スイッチ１６がオンの時は浴槽２内に前日の残り湯があると判断し、ステップＳ６に移行する。また流水スイッチ１６がオフの時は、浴槽２の湯水を循環できない状態、すなわち浴槽２内に湯水がないと判断してステップＳ８に移行する。
【００６６】
そして流水スイッチ１６がオンになることにより、追焚用バーナＶ′のガス弁を開き、イグナイターを放電させて追焚用バーナＶ′を点火し、所定温度、浴槽２の湯水を昇温させる。
【００６７】
そしてステップＳ７において追焚用の温度センサＳにより浴槽２の湯水の温度を監視し、所定時間に昇温した温度ΔＴから演算して浴槽２内の水量を演算する。演算した浴槽２の水量がリモートコントロールユニットへの設定水量であれば後記ステップＳ１１に移行し、設定水量より少なければステップＳ９に移行する点は図１、図１１に示す実施例と同様である。
【００６８】
その後ステップＳ８において前述のステップＳ４のように切換弁１５が駆動し、追焚流路K4′が開かれて湯水供給経路K3、循環経路K4の流路に切換えられるとともに湯落し込み弁９を開き、入水量センサ１３が流水を検知して追焚用バーナＶのガス比例弁を開き、イグナイターを放電して追焚用バーナＶを点火させる。
【００６９】
そして入水温センサ１２と入水量センサ１３により追焚用バーナＶへの供給ガス量を演算し、給湯用熱交換器７の出湯側の出湯温センサ６にて出湯温を監視し、出湯温センサ６のデータからガス比例弁を制御して設定温度になるようにガス量を調整する。それから熱交換器７からの湯は湯落とし込み弁９、縁切り手段８、切換弁１５を経て循環ポンプ４、戻り管１９から浴槽２に給湯される。
【００７０】
次いでステップＳ９に移行すると、給湯を行い、浴槽２に注湯し、水量センサ１１で設定水量が注湯されたかどうかを確認する。
【００７１】
この際、ステップ７から移行する場合には、演算した水量と、設定水量の差を演算し、この演算結果の水量を水量センサ１１で確認しながら注湯が行われる。
【００７２】
所定量、浴槽２に注湯を行ったことを水量センサ１１が検知すると、切換弁１５を駆動して全流路を遮断するとともに、循環ポンプ４を駆動し、追焚流路K4′を開放する。
【００７３】
ステップＳ１１において流水スイッチ１６が流水を検知すると、追焚用バーナＶ′のガス弁が開かれ、イグナイターで放電して追焚用バーナＶ′を点火して燃焼が行われる。以後追焚運転が行われ、温度センサＳで追焚された湯が設定温度になったかどうかが確認される。そして設定温度になれば追焚用バーナＶ′が消火され、循環ポンプ４が停止して浴槽２への給湯と追焚とが完了する。
【００７４】
ところで追焚運転を行われる場合には図１３に示す如く、切換弁１５が追焚流路K4′に切換わり、循環ポンプ４が駆動を開始する。
そして流水スイッチ１６がオンする場合には循環経路K4と循環ポンプ４との空気が排出されており、浴槽２には湯水が満たされているとして前述の図１１および図１２の前記ステップＳ６に移行する。
【００７５】
また流水スイッチ１６がオフの場合には、浴槽２に水道水を満たしたか、太陽熱温水器（図示せず）からの湯水を満たした状態で循環経路K4および循環ポンプ４に空気があるとして判断して図１１および図１２のステップＳ１に移行する。そして循環ポンプ４および戻り管１９の空気は排出される。その後は図１と図１１および図２と図１２に説明した前記説明に従い、浴槽２に所定の水量と湯温の湯が満たされ、入浴が可能な状態になる。
【００７６】
図１４に示すものは本発明の他の実施例を示し、上記実施例においては切換手段として湯水供給経路K3と、循環経路K4における追焚用熱交換器１４側または循環ポンプ４側への切換えを三方弁としての切換弁１５を使用して切換操作をしているが、切換手段としては必ずしもこれに限ることなく、本実施例のように湯水供給経路K3から循環経路K4に至る個所に第３の開閉弁２５を設け、また循環経路K4の追焚用熱交換器１４に至る個所に第４の開閉弁２６をそれぞれ設けて開閉操作することにより、給水経路K1または給湯経路K2からの湯水を循環ポンプ４側、または追焚用熱交換器１４側に導入し、湯沸かしや追焚を行なえるようにしてもよい。
【００７７】
【発明の効果】
以上のように本発明は、循環ポンプを駆動し循環手段内の水流を流水スイッチシにより検知するのに先立ち、切換手段から循環ポンプを介して浴槽までの戻り管内に上水を導入し、上水の圧力によって循環ポンプおよび戻り管内の空気を排出するので、給湯追焚装置と浴槽との設置状態がどのような場合においても良好に給湯、追焚運転を行うことができる。
そして特に浴槽に他の水源から湯水を満たした場合において、浴槽と給湯追焚装置との間の配管がどのような経路を通過しようと、また高低差があろうと良好に湯水を循環して所望の湯温度に沸き上げることが可能となった。この結果、従来にない快適な入浴環境を提供できる。
【図面の簡単な説明】
【図１】本発明の一実施例の全体構成を示す回路図である。
【図２】同じく本実施例の変形例を示す回路図である。
【図３】本実施例を構成する縁切り手段を示す断面図である。
【図４】同じく浴槽から縁切り手段への逆流状態を示す断面図である。
【図５】同じく呼び水時の切換弁の弁切換状態を示す断面図である。
【図６】同じく切換弁を全管路に対して遮断した状態を示す断面図である。
【図７】同じく切換弁を切換操作して追焚回路を形成する状態を示す断面図である。
【図８】同じくエアー追出時の流水経路を示す回路図である。
【図９】同じく追焚時の流水経路を示す回路図である。
【図１０】同じく風呂装置本体と浴槽との設置例の一例を示す説明図である。
【図１１】図１に示す本実施例の回路のフローチャートである。
【図１２】図２に示す本実施例の変形回路のフローチャートである。
【図１３】追焚運転時を部分的に示したフローチャートである。
【図１４】本発明の他の実施例を示す回路図である。
【図１５】従来の全自動給湯追焚装置の一例を示す回路図である。
【図１６】同じく図１５に示す全自動給湯追焚装置の管路を天井部内に付設した状態を示す断面図である。
【図１７】従来の全自動給湯追焚装置の他例を示す回路図である。
【図１８】同じく従来の全自動給湯追焚装置のさらに他例を示す回路図である。
【符号の説明】
１    給湯追焚装置
２    浴槽
３    給湯機構部
４    循環ポンプ
５    追焚機構部
７    給湯用熱交換器
８    縁切り手段
９    湯落とし込み弁
１０  水落とし込み弁
１１  水量センサ
１２  入水温センサ
１３  入水量センサ
１４  追焚用熱交換器
１５  切換弁
１６  流水スイッチ
１７  追焚回路
１８  天井部
１９  戻り管
２０  往管
K1    給水経路
K2    給温経路
K3    温水供給経路
K4    循環経路
K4′  追焚流路
Ｖ    給湯用バーナ
Ｖ′  追焚用バーナ
【図１】
0003685505.tif 000002
【図２】
0003685505.tif 000003
【図３】
0003685505.tif 000004
【図４】
0003685505.tif 000005
【図５】
0003685505.tif 000006
【図６】
0003685505.tif 000007
【図７】
0003685505.tif 000008
【図８】
0003685505.tif 000009
【図９】
0003685505.tif 000010
【図１０】
0003685505.tif 000011
【図１１】
0003685505.tif 000012
【図１２】
0003685505.tif 000013
【図１３】
0003685505.tif 000014
【図１４】
0003685505.tif 000015
【図１５】
0003685505.tif 000016
【図１６】
0003685505.tif 000017
【図１７】
0003685505.tif 000018
【図１８】
0003685505.tif 000019